(57)【特許請求の範囲】
【請求項１】
タッチパネルを備える表示制御装置であって、
複数のオブジェクトをスクロール可能に前記タッチパネルの所定領域に表示するとともに、前記所定領域にスクロールバーを表示する表示部と、
ユーザーからの入力に基づいて前記複数のオブジェクトのうち１つのオブジェクトに対する第１操作を検出する第１操作検出部と、
前記第１操作検出部が前記第１操作を検出した場合に、前記タッチパネルの一部に、前記所定領域と相違する退避領域を定める退避部と、
前記退避部が前記退避領域を定めた場合に、前記１つのオブジェクトを前記所定領域から前記退避領域に移動する移動部と、
前記第１操作と異なる第２操作を検出する第２操作検出部と、
前記第２操作検出部が前記第２操作を検出した場合に、前記所定領域に表示するオブジェクトの階層を変更する第１階層変更部と、
前記退避領域に表示されたオブジェクトのうち１つのオブジェクトに対する第３操作を検出する第３操作検出部と、
前記第３操作検出部が前記第３操作を検出した場合に、前記１つのオブジェクトを、前記所定領域に表示されたオブジェクトの１つとして追加する追加部と
を備え、
前記表示部は、
前記退避領域が定められる前に前記退避領域を表示せず、
前記退避領域が定められた場合に前記退避領域を表示し、
前記所定領域に表示された前記複数のオブジェクトと前記退避領域との間に、前記スクロールバーを表示する、表示制御装置。
【請求項２】
前記表示部は、前記複数のオブジェクトを第１方向に沿って所定順序で配列し、
前記第１操作は、前記タッチパネルへの物体の接触点を前記第１方向と交差する第２方向に移動する操作を含み、
前記第１操作検出部は、前記物体の移動後の接触位置と第１境界線との距離が第１距離以下であるか否かを判定し、前記距離が前記第１距離以下であると判定した場合に、前記第１操作を検出し、
前記第１境界線は、前記スクロールバーと、前記所定領域に表示された前記複数のオブジェクトとの境界を示す、請求項１に記載の表示制御装置。
【請求項３】
前記退避部は、前記タッチパネルのうち前記第２方向の先端側に前記退避領域を定める、請求項２に記載の表示制御装置。
【請求項４】
前記表示部は、前記スクロールバーを表示する位置を前記第２方向の後端側に移動させて、前記退避領域を表示する、請求項３に記載の表示制御装置。
【請求項５】
前記第１階層変更部は、前記第２操作検出部が前記第２操作を検出した場合に、前記所定領域に表示するオブジェクトの階層を、１つ上位の階層に変更する、請求項１から請求項４のいずれか１項に記載の表示制御装置。
【請求項６】
前記第２操作検出部は、前記タッチパネルに表示された所定のボタンがタッチされた場合に、前記第２操作を検出する、請求項１から請求項５のいずれか１項に記載の表示制御装置。
【請求項７】
前記表示部は、前記第３操作検出部が前記第３操作を検出した場合に、吹き出しマークを前記所定領域に表示し、
前記吹き出しマークの先端位置は、前記１つのオブジェクトが追加される位置を示す、請求項１から請求項６のいずれか１項に記載の表示制御装置。
【請求項８】
前記複数のオブジェクトのうち２つ以上のオブジェクトを前記所定領域から前記退避領域に移動した場合に、前記退避領域に移動した前記２つ以上のオブジェクトのうち２つのオブジェクトに対する第４操作を検出する第４操作検出部と、
前記第４操作検出部が前記第４操作を検出した場合に、前記２つのオブジェクトのうち、一方のオブジェクトの属する階層を、他方のオブジェクトの属する階層の１つ下位の階層に変更する第２階層変更部と
を更に備え、
前記第２階層変更部は、前記第４操作検出部が前記第４操作を検出した場合に、前記２つのオブジェクトが一体に移動するように前記２つのオブジェクトを１つのグループに定める、請求項１から請求項７のいずれか１項に記載の表示制御装置。
【請求項９】
前記第４操作は、前記他方のオブジェクトに重なる位置まで前記一方のオブジェクトを移動する操作を含む、請求項８に記載の表示制御装置。
【請求項１０】
前記第３操作検出部は、前記退避領域に表示された前記１つのグループに対する第３操作を検出し、
前記追加部は、前記第３操作検出部が前記１つのグループに対する前記第３操作を検出した場合に、前記所定領域に表示されるオブジェクトとして前記１つのグループに含まれる前記他方のオブジェクトを追加する、請求項８又は請求項９に記載の表示制御装置。
【請求項１１】
前記退避領域に表示された前記１つのグループに対する第５操作を検出する第５操作検出部と、
前記第５操作検出部が前記第５操作を検出した場合に、前記１つのグループを解消するグループ解除部と
を更に備える、請求項８から請求項１０のいずれか１項に記載の表示制御装置。
【請求項１２】
タッチパネルを備える表示制御装置の表示制御方法であって、
複数のオブジェクトをスクロール可能に前記タッチパネルの所定領域に表示するとともに、前記所定領域にスクロールバーを表示するステップと、
ユーザーからの入力に基づいて前記複数のオブジェクトのうち１つのオブジェクトに対する第１操作を検出するステップと、
前記第１操作を検出した場合に、前記タッチパネルの一部に、前記所定領域と相違する退避領域を定めて、前記退避領域を表示するステップと、
前記退避領域を定めた場合に、前記１つのオブジェクトを前記所定領域から前記退避領域に移動するステップと、
前記第１操作と異なる第２操作を検出するステップと、
前記第２操作を検出した場合に、前記所定領域に表示するオブジェクトの階層を変更するステップと、
前記退避領域に表示されたオブジェクトのうち１つのオブジェクトに対する第３操作を検出するステップと、
前記第３操作を検出した場合に、前記１つのオブジェクトを、前記所定領域のオブジェクトの１つとして追加するステップと
を含み、
前記スクロールバーは、前記複数のオブジェクトと前記退避領域との間に配置され、
前記退避領域が定められる前には前記退避領域が表示されない、表示制御方法。
【発明の詳細な説明】
【技術分野】
【０００１】
本発明は、タッチパネルを備える表示制御装置、及び表示制御方法に関する。
【背景技術】
【０００２】
タッチパネルの操作性を向上する種々の技術が知られている。例えば、特許文献１には、携帯情報端末が開示されている。具体的には、携帯情報端末は、タッチパネル、スライドセンサー、及び描画領域制御手段を備える。タッチパネルは、筐体の前面に設けられ、表示画面に対するタッチ操作を検出する。スライドセンサーは、筐体の右側面に設けられ、表示画面の長手方向へのスライド操作を検出する。描画領域制御手段は、表示画面内にメイン描画領域とサブ描画領域とを配列し、スライド操作に基づいて、メイン描画領域とサブ描画領域との順序を入れ替える。
【０００３】
特許文献１に記載の携帯情報端末によれば、タッチパネルの操作性を向上することができる。
【先行技術文献】
【特許文献】
【０００４】
【特許文献１】特開２０１３−２３２０２６号公報
【発明の概要】
【発明が解決しようとする課題】
【０００５】
しかしながら、特許文献１に記載の携帯情報端末では、スライドセンサーを備える必要がある。よって、構造が複雑になり、製造コストが増大する。
【０００６】
本発明は、上記課題に鑑みてなされたものであり、タッチパネルの操作性を簡素な構成で向上できる表示制御装置、及び表示制御方法を提供することを目的としている。
【課題を解決するための手段】
【０００７】
本発明の表示制御装置は、タッチパネルを備える表示制御装置であって、表示部、第１操作検出部、退避部、移動部、第２操作検出部、第１階層変更部、第３操作検出部、及び追加部を備える。前記表示部は、複数のオブジェクトをスクロール可能に前記タッチパネルの所定領域に表示する。前記第１操作検出部は、ユーザーからの入力に基づいて前記複数のオブジェクトのうち１つのオブジェクトに対する第１操作を検出する。前記退避部は、前記第１操作検出部が前記第１操作を検出した場合に、前記タッチパネルの一部に前記所定領域と相違する退避領域を定める。前記移動部は、前記退避部が前記退避領域を定めた場合に、前記１つのオブジェクトを前記所定領域から前記退避領域に移動する。前記第２操作検出部は、前記第１操作と異なる第２操作を検出する。前記第２操作検出部が前記第２操作を検出した場合に、前記第１階層変更部は、前記所定領域に表示するオブジェクトの階層を変更する。前記第３操作検出部は、前記退避領域に表示されたオブジェクトのうち１つのオブジェクトに対する第３操作を検出する。前記第３操作検出部が前記第３操作を検出した場合に、前記追加部は、前記１つのオブジェクトを、前記所定領域に表示されたオブジェクトの１つとして追加する。
【０００８】
本発明の表示制御方法は、タッチパネルを備える表示制御装置の表示制御方法であって、複数のオブジェクトをスクロール可能に前記タッチパネルの所定領域に表示するステップと、ユーザーからの入力に基づいて前記複数のオブジェクトのうち１つのオブジェクトに対する第１操作を検出するステップと、前記第１操作を検出した場合に、前記タッチパネルの一部に、前記所定領域と相違する退避領域を定めるステップと、前記退避領域を定めた場合に、前記１つのオブジェクトを前記所定領域から前記退避領域に移動するステップと、前記第１操作と異なる第２操作を検出するステップと、前記第２操作を検出した場合に、前記所定領域に表示するオブジェクトの階層を変更するステップと、前記退避領域に表示されたオブジェクトのうち１つのオブジェクトに対する第３操作を検出するステップと、前記第３操作を検出した場合に、前記１つのオブジェクトを、前記所定領域のオブジェクトの１つとして追加するステップとを含む。
【発明の効果】
【０００９】
本発明の表示制御装置、及び表示制御方法によれば、タッチパネルの操作性を簡素な構成で向上できる。
【図面の簡単な説明】
【００１０】
【図１】本発明の第１実施形態に係るタブレット端末装置の構成を示す図である。
【図２】制御部の構成を示す図である。
【図３】第１操作の一例を示す図である。
【図４】第２操作の一例を示す図である。
【図５】スクロール操作の一例を示す図である。
【図６】第３操作の一例を示す図である。
【図７】オブジェクトを追加する位置を示す吹出マークの一例を示す図である。
【図８】第３操作によって表示される画面の一例を示す図である。
【図９】第１操作の他の一例を示す図である。
【図１０】第４操作の一例を示す図である。
【図１１】第４操作の一例を示す図である。
【図１２】第３操作の他の一例を示す図である。
【図１３】オブジェクトを追加する位置を示す吹出マークの他の一例を示す図である。
【図１４】第３操作によって表示される画面の他の一例を示す図である。
【図１５】第４操作の他の一例を示す図である。
【図１６】第４操作の他の一例を示す図である。
【図１７】第５操作の一例を示す図である。
【図１８】第５操作の一例を示す図である。
【図１９】第５操作によって表示される画面の一例を示す図である。
【図２０】制御部の動作を示すフローチャートである。
【図２１】制御部の動作を示すフローチャートである。
【図２２】制御部のグループ処理を示すフローチャートである。
【図２３】本発明の第２実施形態に係る画像形成装置の構成を示す図である。
【発明を実施するための形態】
【００１１】
以下、本発明の実施形態について、図面（図１〜図２３）を参照しながら説明する。なお、図中、同一又は相当部分については同一の参照符号を付して説明を繰り返さない。
【００１２】
＜第１実施形態＞
まず、図１を参照して本発明の第１実施形態に係るタブレット端末装置１００の構成について説明する。図１は、本発明の第１実施形態に係るタブレット端末装置１００の構成を示す。タブレット端末装置１００はタッチパネル１及び制御部２を備える。タブレット端末装置１００は、「表示制御装置」の一例に相当する。タッチパネル１は画像を表示すると共に、ユーザーからの操作を受け付ける。制御部２はタッチパネル１の動作を制御する。
【００１３】
タッチパネル１は、ディスプレー１１、及びタッチセンサー１２を備える。ディスプレー１１は画像を表示する。タッチセンサー１２はタッチパネル１への物体の接触位置を検出する。タッチセンサー１２は、例えばディスプレー１１の表示面上に配置される。
【００１４】
制御部２は、プロセッサー２１、及び記憶部２２を備える。記憶部２２は、制御プログラムを記憶している。プロセッサー２１は、記憶部２２に記憶された制御プログラムを読み出して実行することによってタッチパネル１の動作を制御する。
【００１５】
次に、図２を参照して制御部２の構成について説明する。図２は、制御部２の構成を示す。制御部２は、第１操作検出部２１０、退避部２１１、移動部２１２、第２操作検出部２１３、第１階層変更部２１４、第３操作検出部２１５、追加部２１６、第４操作検出部２１７、第２階層変更部２１８、第５操作検出部２１９、グループ解除部２２０、及び表示部２２１を備える。具体的には、プロセッサー２１は、記憶部２２に記憶された制御プログラムを読み出して実行することによって、第１操作検出部２１０、退避部２１１、移動部２１２、第２操作検出部２１３、第１階層変更部２１４、第３操作検出部２１５、追加部２１６、第４操作検出部２１７、第２階層変更部２１８、第５操作検出部２１９、グループ解除部２２０、及び表示部２２１として機能する。
【００１６】
次に、図２〜図１９を参照して制御部２の機能について説明する。まず、図２〜図４を参照して第１操作検出部２１０、退避部２１１、移動部２１２及び表示部２２１について説明する。図３は、第１操作ＯＰ１の一例を示す図である。図３に示す画面は、表示部２２１がタッチパネル１に表示する。図２及び図３に示すように、表示部２２１は、複数のオブジェクトＢＪＡをスクロール可能にタッチパネル１の主領域ＲＡに表示する。表示部２２１は、複数のオブジェクトＢＪＡを第１方向ＤＲ１に沿って所定順序で配列する。オブジェクトＢＪＡは、主領域ＲＡに表示されているオブジェクトＢＪを示す。スクロール可能な方向は、第１方向ＤＲ１又は第１方向ＤＲ１と逆方向である。第１方向ＤＲ１は、例えば、ディスプレー１１の表示面の４辺のうちの第１辺に略平行である。主領域ＲＡは、「所定領域」に相当する。
【００１７】
図３に示すように、表示部２２１は、タッチパネル１の主領域ＲＡに、オブジェクトＢＪＡの一例として、オブジェクト３Ａ〜オブジェクト３Ｅを第１方向ＤＲ１に沿って配列して表示する。オブジェクト３Ａ〜オブジェクト３Ｅは、それぞれ、文字列を示す。また、表示部２２１は、スクロールバー３１を主領域ＲＡに表示する。スクロールバー３１は、ユーザーが主領域ＲＡに表示したオブジェクトＢＪＡをスクロールする場合に、ユーザーからの操作を受け付ける。
【００１８】
続いて、図２及び図３を参照して第１操作検出部２１０について説明する。第１操作検出部２１０は、タッチパネル１の主領域ＲＡに表示された複数のオブジェクトＢＪＡのうち１つのオブジェクトＢＪＡに対する第１操作ＯＰ１を検出する。第１操作ＯＰ１は、タッチパネル１への物体の接触位置を第２方向ＤＲ２に移動する操作を含む。第２方向ＤＲ２は、第１方向ＤＲ１と交差する方向を示す。第２方向ＤＲ２は、第１実施形態では、第１方向ＤＲ１と略直交する方向である。第２方向ＤＲ２は、例えば、ディスプレー１１の表示面の４辺のうちの第１辺に直交する第２辺に略平行である。第１操作ＯＰ１は、例えば第２方向ＤＲ２へのスワイプ操作ＳＷＲを示す。
【００１９】
続いて、第１操作ＯＰ１の一例について説明する。図３に示すように、まず、ユーザーの手Ｈの指がオブジェクト３Ｂ上の位置Ｐ１１に接触する。そして、手Ｈの指がタッチパネル１に触れた状態で、手Ｈの指を方向ＡＲ１に位置Ｐ１２まで移動する。方向ＡＲ１は、第２方向ＤＲ２と略一致する。次に、位置Ｐ１２において手Ｈの指をタッチパネル１から離す。位置Ｐ１１で接触してから位置Ｐ１２で離すまでタッチパネル１を操作した場合に、第１操作検出部２１０は第２方向ＤＲ２のスワイプ操作ＳＷＲを検出する。
【００２０】
更に、第１操作検出部２１０は、位置Ｐ１２と境界線ＬＬ１との距離が第１距離ＬＳ１以下であるかを判定する。位置Ｐ１２と境界線ＬＬ１との距離が第１距離ＬＳ１以下である場合に、第１操作検出部２１０はオブジェクト３Ｂに対する第１操作ＯＰ１を検出する。具体的には、第１操作検出部２１０は、位置Ｐ１２が直線Ｌ１に対して第２方向ＤＲ２の先端側にあるか否かを判定する。位置Ｐ１２が直線Ｌ１に対して第２方向ＤＲ２の先端側にある場合に、第１操作検出部２１０はオブジェクト３Ｂに対する第１操作ＯＰ１を検出する。境界線ＬＬ１は、スクロールバー３１とオブジェクト３Ａ〜オブジェクト３Ｅとの境界を示す。直線Ｌ１は、境界線ＬＬ１に対して第２方向ＤＲ２の後端側に位置し、境界線ＬＬ１からの距離が第１距離ＬＳ１の直線を示す。
【００２１】
次に、図２及び図４を参照して退避部２１１、移動部２１２及び表示部２２１について説明する。図４は、第２操作ＯＰ２の一例を示す図である。図４に示す画面は、オブジェクト３Ｂに対して第１操作ＯＰ１を行った場合にタッチパネル１に表示される。退避部２１１は、第１操作検出部２１０が第１操作ＯＰ１を検出した場合に、タッチパネル１の一部に主領域ＲＡと相違する退避領域ＲＥを定める。具体的には、退避部２１１はタッチパネル１のうち第２方向ＤＲ２の先端側に退避領域ＲＥを定める。退避部２１１は、例えばディスプレー１１の表示面の４辺のうちの第１辺側に退避領域ＲＥを定める。
【００２２】
また、退避部２１１が退避領域ＲＥを定めた場合に、移動部２１２は、１つのオブジェクトＢＪＡを主領域ＲＡから退避領域ＲＥに移動する。移動部２１２は、例えば、主領域ＲＡに表示されるオブジェクト３Ａ〜オブジェクト３Ｅのうちオブジェクト３Ｂを退避領域ＲＥへ移動する。また、移動部２１２が１つのオブジェクトＢＪＡを主領域ＲＡから退避領域ＲＥに移動した場合に、表示部２２１は、１つのオブジェクトＢＪＡを主領域ＲＡから消去すると共に、１つのオブジェクトＢＪＡを退避領域ＲＥに表示する。
【００２３】
次に、図４を参照して、タッチパネル１に表示される画面の一例について説明する。表示部２２１はタッチパネル１の主領域ＲＡに、オブジェクト３Ａ、及びオブジェクト３Ｃ〜オブジェクト３Ｆを表示する。また、表示部２２１は、オブジェクト３ＢをオブジェクトＢＪＥの一例として退避領域ＲＥに表示する。オブジェクト３Ｂは、１つのオブジェクトＢＪＡの一例である。オブジェクトＢＪＥは、退避領域ＲＥに表示されているオブジェクトＢＪを示す。また、オブジェクトＢＪＥとオブジェクトＢＪＡとをオブジェクトＢＪと総称する場合がある。
【００２４】
次に、図４及び図５を参照して、第２操作検出部２１３、第１階層変更部２１４及び表示部２２１について説明する。まず、図２及び図４を参照して第２操作ＯＰ２について説明する。退避部２１１が退避領域ＲＥを定めた場合に、第２操作検出部２１３は、タッチパネル１に上位階層表示ボタンＢＵを表示する。第２操作検出部２１３は、上位階層表示ボタンＢＵを、例えば退避領域ＲＥにおいて第１方向ＤＲ１の先端側に表示する。上位階層表示ボタンＢＵをユーザーがタッチした場合に、第２操作検出部２１３は第２操作ＯＰ２を検出する。第２操作検出部２１３が第２操作ＯＰ２を検出した場合に、第１階層変更部２１４は主領域ＲＡに表示するオブジェクトＢＪＡの階層を変更する。第１実施形態では、タッチパネル１の主領域ＲＡに表示するオブジェクトＢＪＡを１つ上位の階層に変更する。上位階層表示ボタンＢＵは、「所定のボタン」の一例に相当する。
【００２５】
次に、図５を参照して、タッチパネル１に表示される画面について説明する。図５は、スクロール操作ＳＲの一例を示す図である。図５に示す画面は、第２操作検出部２１３が第２操作ＯＰ２を検出した場合にタッチパネル１に表示される。表示部２２１は、オブジェクト３ＡＵ〜オブジェクト３ＥＵを主領域ＲＡに表示する。オブジェクト３ＡＵ〜オブジェクト３ＥＵは、オブジェクト３Ａ、オブジェクト３Ｃ〜オブジェクト３Ｆの１つ上位の階層のオブジェクトＢＪＡの一例を示す。
【００２６】
次に、図５〜図８を参照して、第３操作検出部２１５、追加部２１６及び表示部２２１について説明する。まず、図２及び図５を参照して、スクロール操作ＳＲについて説明する。ユーザーの手Ｈの指が位置Ｐ２１に接触する。そして、手Ｈの指がタッチパネル１に触れた状態で、手Ｈの指を方向ＡＲ２に位置Ｐ２２まで移動する。次に、位置Ｐ２２において手Ｈの指をタッチパネル１から離す。方向ＡＲ２は、第１方向ＤＲ１の略逆方向を示す。位置Ｐ２１で接触してから位置Ｐ２２で離すまでタッチパネル１を操作した場合に、制御部２は第１方向ＤＲ１の逆方向のスクロール操作ＳＲを検出する。
【００２７】
そして、表示部２２１が主領域ＲＡのオブジェクトＢＪＡを第１方向ＤＲ１の逆方向にスクロール表示する。表示部２２１は、例えば主領域ＲＡのオブジェクト３ＡＵ〜オブジェクト３ＥＵを第１方向ＤＲ１の逆方向にスクロールする。
【００２８】
次に、図６を参照して、表示部２２１がタッチパネル１に表示する画面について説明する。図６は、第３操作ＯＰ３の一例を示す図である。図６に示す画面は、オブジェクト３ＡＵ〜オブジェクト３ＥＵを第１方向ＤＲ１の逆方向にスクロールした場合にタッチパネル１に表示される。表示部２２１がタッチパネル１の主領域ＲＡにオブジェクト３ＥＵ〜オブジェクト３ＩＵを表示する。例えばオブジェクト３ＥＵは、図５において、オブジェクト３ＡＵ〜オブジェクト３ＥＵのうち第１方向ＤＲ１の最も先端側に表示されていた。スクロール操作ＳＲによってオブジェクト３ＡＵ〜オブジェクト３ＥＵは第１方向ＤＲ１と逆方向にスクロールされる。その結果、オブジェクト３ＥＵは、第１方向ＤＲ１の最も後端側に表示される。
【００２９】
続いて、図２及び図６を参照して第３操作検出部２１５について説明する。第３操作検出部２１５は、退避領域ＲＥに表示されたオブジェクトＢＪＥのうち１つのオブジェクトＢＪＥに対する第３操作ＯＰ３を検出する。第３操作ＯＰ３は、例えばオブジェクトＢＪＥを退避領域ＲＥから主領域ＲＡに移動するドラッグアンドドロップ操作ＤＡＤを示す。
【００３０】
続いて、第３操作ＯＰ３の一例について説明する。図６に示すように、まず、ユーザーの手Ｈの指がオブジェクト３Ｂ内の位置Ｐ３１に接触する。そして、手Ｈの指がタッチパネル１に触れた状態で、手Ｈの指を方向ＡＲ３に位置Ｐ３２まで移動する。手Ｈの指の移動に応じて、表示部２２１は、オブジェクト３Ｂの表示位置を移動する。次に、位置Ｐ３２において手Ｈの指をタッチパネル１から離す。位置Ｐ３１で接触してから位置Ｐ３２で離すまでタッチパネル１を操作した場合に、第３操作検出部２１５は、オブジェクト３Ｂに対するドラッグアンドドロップ操作ＤＡＤを検出する。
【００３１】
更に、第３操作検出部２１５は、位置Ｐ３２が境界線ＬＲより第２方向ＤＲ２の後端側であるか否かを判定する。そして、位置Ｐ３２が境界線ＬＲより第２方向ＤＲ２の後端側である場合に、第３操作検出部２１５はオブジェクト３Ｂに対する第３操作ＯＰ３を検出する。境界線ＬＲはスクロールバー３１と退避領域ＲＥとの境界を示す。
【００３２】
次に、図２及び図７を参照して追加部２１６及び表示部２２１について説明する。図７は、オブジェクトＢＪＥを追加する位置を示す吹出マークＧＮ１の一例を示す。第３操作検出部２１５がオブジェクトＢＪＥに対する第３操作ＯＰ３を検出した場合に、追加部２１６は、オブジェクトＢＪＥが追加される位置を算出する。そして、表示部２２１は、オブジェクトＢＪＥが追加される位置を主領域ＲＡに表示する。
【００３３】
続いて、オブジェクトＢＪＥを追加する位置について具体的に説明する。追加部２１６は、オブジェクト３Ｂが追加される位置を以下のようにして定める。すなわち、追加部２１６は、例えば、境界線ＬＡから位置Ｐ３２までの距離が第２距離ＬＳ２未満であるか否かを判定する。境界線ＬＡから位置Ｐ３２までの距離が第２距離ＬＳ２未満である場合に、追加部２１６は、オブジェクト３Ｂを追加する位置を、境界線ＬＡの示すオブジェクト３ＦＵとオブジェクト３ＧＵとの間の位置に決定する。境界線ＬＡは、オブジェクト３ＦＵとオブジェクト３ＧＵとの境界を示す。第２距離ＬＳ２は、例えばオブジェクトＢＪＡの第１方向ＤＲ１の大きさの半分を示す。
【００３４】
また、表示部２２１は、例えば吹出マークＧＮ１を表示する。吹出マークＧＮ１は、オブジェクト３Ｂが追加される位置を示す。具体的には、吹出マークＧＮ１の先端位置が、オブジェクト３Ｂが追加される位置を示す。オブジェクト３Ｂが追加される位置は、例えばオブジェクト３ＦＵとオブジェクト３ＧＵとの間の位置である。
【００３５】
更に、追加部２１６は、第３操作検出部２１５が第３操作ＯＰ３を検出した場合に、１つのオブジェクトＢＪＥを主領域ＲＡに表示されるオブジェクトＢＪＡの１つとして追加する。第３操作検出部２１５が第３操作ＯＰ３を検出した場合に、表示部２２１は、１つのオブジェクトＢＪＥを退避領域ＲＥから消去すると共に、１つのオブジェクトＢＪＥを主領域ＲＡに表示する。図７に示すように、追加部２１６は、例えばオブジェクト３ＦＵとオブジェクト３ＧＵとの間の位置にオブジェクト３Ｂを追加する。表示部２２１は、例えばオブジェクト３Ｂを退避領域ＲＥから消去すると共に、オブジェクト３Ｂを主領域ＲＡに表示する。
【００３６】
次に、図２及び図８を参照して表示部２２１が表示する画面を説明する。図８は、第３操作ＯＰ３によって表示される画面の一例を示す。表示部２２１はオブジェクト３ＥＵ、オブジェクト３ＦＵ、オブジェクト３Ｂ、オブジェクト３ＧＵ及びオブジェクト３ＨＵを主領域ＲＡに表示する。また、オブジェクト３Ｂが退避領域ＲＥから主領域ＲＡに移動された結果、退避領域ＲＥに表示するオブジェクトＢＪＥが無くなるため、表示部２２１は退避領域ＲＥを表示しない。その結果、表示部２２１はタッチパネル１に主領域ＲＡのみを表示する。
【００３７】
以上、図２〜図８を参照して説明したように、第１操作検出部２１０が第１操作ＯＰ１を検出した場合に、退避部２１１が以下の処理を行う。すなわち、退避部２１１がタッチパネル１の一部に、主領域ＲＡと相違する退避領域ＲＥを定める。また、第２操作検出部２１３が第２操作ＯＰ２を検出した場合に、第１階層変更部２１４は主領域ＲＡに表示するオブジェクトＢＪＡの階層を変更する。第３操作検出部２１５が、退避領域ＲＥに表示されたオブジェクトＢＪＥのうち１つのオブジェクトＢＪＥに対する第３操作ＯＰ３を検出する。第１階層変更部２１４が主領域ＲＡに表示するオブジェクトＢＪＡの階層を変更し、第３操作検出部２１５が第３操作ＯＰ３を検出した場合に、追加部２１６は、以下の処理を行う。すなわち、追加部２１６は、１つのオブジェクトＢＪＥを主領域ＲＡの階層が変更されたオブジェクトＢＪＡの１つとして追加する。よって、主領域ＲＡに表示されたオブジェクトＢＪＡを、階層が異なるオブジェクトＢＪＡの１つとして追加することができる。したがって、主領域ＲＡに表示されたオブジェクトＢＪＡの階層を変更すると共に、変更した階層においてユーザーが所望する位置に追加することができる。その結果、タッチパネル１の操作性を簡素な構成で向上できる。
【００３８】
また、第１操作ＯＰ１は、タッチパネル１への物体の接触位置を第１方向ＤＲ１と交差する第２方向ＤＲ２に移動する操作を含む。具体的には、例えば、第１操作ＯＰ１は、第１方向ＤＲ１と直交する第２方向ＤＲ２へのスワイプ操作ＳＷＲである。よって、ユーザーの直感に合致した操作でオブジェクトＢＪＡを退避領域ＲＥに移動できる。したがって、タッチパネル１の操作性を更に向上できる。
【００３９】
更に、退避部２１１は、タッチパネル１のうち第２方向ＤＲ２の先端側に退避領域ＲＥを定める。また、第１操作ＯＰ１は、第２方向ＤＲ２へのスワイプ操作ＳＷＲである。よって、ユーザーの直感に合致した位置に退避領域ＲＥを定めることができる。したがって、タッチパネル１の操作性を更に向上できる。
【００４０】
加えて、第１階層変更部２１４は、第２操作検出部２１３が第２操作ＯＰ２を検出した場合に、主領域ＲＡに表示するオブジェクトＢＪＡの階層を、１つ上位の階層に変更する。よって、主領域ＲＡに表示されたオブジェクトＢＪＡを、１つ上位の階層にオブジェクトＢＪＡの１つとして追加することが可能になる。したがって、タッチパネル１の操作性を更に向上できる。
【００４１】
また、第２操作検出部２１３は、タッチパネル１に表示された上位階層表示ボタンＢＵがタッチされた場合に、第２操作ＯＰ２を検出する。よって、第２操作ＯＰ２を簡単に行うことができる。したがって、タッチパネル１の操作性を更に向上できる。
【００４２】
更に、表示部２２１は、第３操作検出部２１５が第３操作ＯＰ３を検出した場合に、オブジェクトＢＪＥが追加される位置を主領域ＲＡに表示する。例えば、表示部２２１は、オブジェクトＢＪＥが追加される位置を示す吹出マークＧＮ１を表示する。よって、主領域ＲＡのユーザーが所望する位置にオブジェクトＢＪＥを容易に追加できる。したがって、タッチパネル１の操作性を更に向上できる。
【００４３】
次に、図２、図９〜図１９を参照して、主に、第４操作検出部２１７、第２階層変更部２１８、第５操作検出部２１９、グループ解除部２２０及び表示部２２１について説明する。まず、図２及び図９を参照して第１操作ＯＰ１の他の一例について説明する。図９は、第１操作ＯＰ１の他の一例を示す。図９に示す第１操作ＯＰ１は、オブジェクト３Ｃに対して行う点で図３に示す第１操作ＯＰ１と相違する。図９に示す画面の表示内容は図４に示す画面の表示内容と同じである。
【００４４】
図９に示すように、まず、ユーザーの手Ｈの指がオブジェクト３Ｃ上の位置Ｐ４１に接触する。そして、手Ｈの指がタッチパネル１に触れた状態で、手Ｈの指を方向ＡＲ４に位置Ｐ４２まで移動する。方向ＡＲ４は、第２方向ＤＲ２と略一致する。次に、位置Ｐ４２において手Ｈの指をタッチパネル１から離す。位置Ｐ４１で接触してから位置Ｐ４２で離すまでタッチパネル１を操作した場合に、第１操作検出部２１０は、第２方向ＤＲ２へのスワイプ操作ＳＷＲを検出する。
【００４５】
更に、第１操作検出部２１０は、位置Ｐ４２と境界線ＬＬ２との距離が第３距離ＬＳ３以下であるか否かを判定する。位置Ｐ４２と境界線ＬＬ２との距離が第３距離ＬＳ３以下である場合に、第１操作検出部２１０は、オブジェクト３Ｃに対する第１操作ＯＰ１を検出する。具体的には、第１操作検出部２１０は、位置Ｐ４２が直線Ｌ２に対して第２方向ＤＲ２の先端側にあるか否かを判定する。位置Ｐ４２が直線Ｌ２に対して第２方向ＤＲ２の先端側にある場合に、第１操作検出部２１０は、オブジェクト３Ｃに対する第１操作ＯＰ１を検出する。境界線ＬＬ２は、スクロールバー３１とオブジェクト３Ａ及びオブジェクト３Ｃ〜オブジェクト３Ｆとの境界を示す。直線Ｌ２は、境界線ＬＬ２に対して第２方向ＤＲ２の後端側に位置し、境界線ＬＬ２からの距離が第３距離ＬＳ３の直線を示す。
【００４６】
第１操作検出部２１０がオブジェクト３Ｃに対する第１操作ＯＰ１を検出した場合に、退避部２１１はオブジェクト３Ｃを主領域ＲＡから退避領域ＲＥに移動する。また、表示部２２１は、オブジェクト３Ｃを主領域ＲＡから消去すると共に、オブジェクト３Ｃを退避領域ＲＥに表示する。同様にして、オブジェクト３Ｄに対する第１操作ＯＰ１を第１操作検出部２１０が検出した場合に、退避部２１１はオブジェクト３Ｄを主領域ＲＡから退避領域ＲＥに移動する。また、オブジェクト３Ｅに対する第１操作ＯＰ１を第１操作検出部２１０が検出した場合に、退避部２１１はオブジェクト３Ｅを主領域ＲＡから退避領域ＲＥに移動する。
【００４７】
次に、図１０を参照して、表示部２２１がタッチパネル１に表示する画面について説明する。図１０は、第４操作ＯＰ４の一例を示す図である。図１０に示す画面は、オブジェクト３Ｃ〜オブジェクト３Ｅを主領域ＲＡから退避領域ＲＥに移動したときに、タッチパネル１に表示される。表示部２２１はオブジェクト３Ａ及びオブジェクト３Ｆ〜オブジェクト３Ｉを主領域ＲＡに表示する。また、表示部２２１はオブジェクト３Ｂ〜オブジェクト３Ｅをタッチパネル１の退避領域ＲＥに表示する。
【００４８】
続いて、図２及び図１０を参照して第４操作検出部２１７及び第２階層変更部２１８について説明する。第４操作検出部２１７は、退避領域ＲＥに表示された２つ以上のオブジェクトＢＪＥのうち２つのオブジェクトＢＪＥに対する第４操作ＯＰ４を検出する。第４操作ＯＰ４は、例えば１つのオブジェクトＢＪＥを他のオブジェクトＢＪＥに重ねるドラッグアンドドロップ操作ＤＡＤを示す。１つのオブジェクトＢＪＥと他のオブジェクトＢＪＥとが、２つのオブジェクトＢＪＥに対応する。第４操作検出部２１７が第４操作ＯＰ４を検出した場合に、第２階層変更部２１８は、１つのオブジェクトＢＪＥの属する階層を、他のオブジェクトＢＪＥの属する階層の１つ下位の階層に変更する。１つのオブジェクトＢＪＥは、ドラッグアンドドロップ操作ＤＡＤによって他のオブジェクトＢＪＥに重ねるオブジェクトＢＪＥを示す。他のオブジェクトＢＪＥは、ドラッグアンドドロップ操作ＤＡＤによって１つのオブジェクトＢＪＥが重ねられるオブジェクトＢＪＥを示す。また、第２階層変更部２１８は、１つのオブジェクトＢＪＥと他のオブジェクトＢＪＥとが一体に移動するように、１つのオブジェクトＢＪＥと他のオブジェクトＢＪＥとを１つのグループＧＲに定める。１つのオブジェクトＢＪＥは、「一方のオブジェクト」に相当し、他のオブジェクトＢＪＥは、「他方のオブジェクト」に相当する。
【００４９】
続いて、第４操作ＯＰ４の一例について説明する。図１０に示すように、まず、ユーザーの手Ｈの指がオブジェクト３Ｂ内の位置Ｐ５１に接触する。そして、手Ｈの指がタッチパネル１に触れた状態で、手Ｈの指を方向ＡＲ５に位置Ｐ５２まで移動する。手Ｈの指の移動に応じて、表示部２２１はオブジェクト３Ｄの表示位置を移動する。次に、位置Ｐ５２において手Ｈの指を所定時間ＴＤ停止する。その後、位置Ｐ５２において手Ｈの指をタッチパネル１から離す。位置Ｐ５１に接触してから位置Ｐ５２で離すまでタッチパネル１を操作した場合に、第４操作検出部２１７は、オブジェクト３Ｂに対するドラッグアンドドロップ操作ＤＡＤを検出する。
【００５０】
更に、第４操作検出部２１７は、位置Ｐ５２がオブジェクト３Ｃ内の位置であるか否かを判定する。また、第４操作検出部２１７は、所定時間ＴＤが時間ＴＳ以上であるか否かを判断する。時間ＴＳは、例えば５秒である。そして、位置Ｐ５２がオブジェクト３Ｃ内の位置であり、所定時間ＴＤが時間ＴＳ以上である場合に、第４操作検出部２１７はオブジェクト３Ｂ及びオブジェクト３Ｃに対する第４操作ＯＰ４を検出する。
【００５１】
次に、図２及び図１１を参照して第４操作ＯＰ４の一例について更に説明する。図１１は、第４操作ＯＰ４の一例を示す。また、図１１に示す画面は、手Ｈの指が位置Ｐ５２に移動したときに、表示部２２１がタッチパネル１に表示する。図１１では、所定時間ＴＤが時間ＴＳ以上である場合について説明する。位置Ｐ５２はオブジェクト３Ｂ内の位置であるため、第４操作検出部２１７はオブジェクト３Ｂ及びオブジェクト３Ｃに対する第４操作ＯＰ４を検出する。そして、第２階層変更部２１８は、オブジェクト３Ｂの属する階層を、オブジェクト３Ｃの属する階層の１つ下位の階層に変更する。また、第２階層変更部２１８は、オブジェクト３Ｂとオブジェクト３Ｃとが一体に移動するようにオブジェクト３Ｂとオブジェクト３Ｃとを１つのグループ３ＣＢに定める。
【００５２】
次に、図２及び図１２を参照して、表示部２２１がタッチパネル１に表示する画面について説明する。図１２は、第３操作ＯＰ３の他の一例を示す図である。図１２に示す画面は、第２階層変更部２１８がオブジェクト３Ｃ及びオブジェクト３Ｂを１つのグループ３ＣＢに定めたときに、タッチパネル１に表示される。表示部２２１は、退避領域ＲＥにグループ３ＣＢを表示する。グループ３ＣＢは、グループＧＲの一例であり、オブジェクト３Ｂとオブジェクト３Ｃとから構成されている。更に、表示部２２１は退避領域ＲＥにおいてグループ３ＣＢの第１方向ＤＲ１の先端側にオブジェクト３Ｄ及びオブジェクト３Ｅを表示する。
【００５３】
続いて、第３操作検出部２１５について説明する。第３操作検出部２１５は、退避領域ＲＥに表示されたグループＧＲに対する第３操作ＯＰ３を検出する。図１２に示す第３操作ＯＰ３は、グループＧＲに対する操作である点で図６に示す第３操作ＯＰ３と相違する。
【００５４】
図１２に示すように、まず、ユーザーの手Ｈの指がグループ３ＣＢ内の位置Ｐ６１に接触する。そして、手Ｈの指がタッチパネル１に触れた状態で、手Ｈの指を方向ＡＲ６に位置Ｐ６２まで移動する。手Ｈの指の移動に応じて、表示部２２１はグループ３ＣＢの表示位置を移動する。次に、位置Ｐ６２において手Ｈの指をタッチパネル１から離す。位置Ｐ６１で接触してから位置Ｐ６２で離すまでタッチパネル１を操作した場合に、第３操作検出部２１５はグループ３ＣＢに対するドラッグアンドドロップ操作ＤＡＤを検出する。
【００５５】
更に、第３操作検出部２１５は位置Ｐ６２が境界線ＬＲより第２方向ＤＲ２の後端側であるか否かを判定する。そして、位置Ｐ６２が境界線ＬＲより第２方向ＤＲ２の後端側である場合に、第３操作検出部２１５は第３操作ＯＰ３を検出する。境界線ＬＲは、スクロールバー３１と退避領域ＲＥとの境界を示す。
【００５６】
次に、図２及び図１３を参照して、表示部２２１及び追加部２１６について説明する。図１３は、オブジェクトＢＪＥを追加する位置を示す吹出マークＧＮ２の他の一例を示す。図１３に示す吹出マークＧＮ２は、グループＧＲに含まれるオブジェクトＢＪＥの追加する位置を示す点で図７に示す吹出マークＧＮ１と相違する。第３操作検出部２１５がグループＧＲに対する第３操作ＯＰ３を検出した場合に、追加部２１６は、グループＧＲに含まれるオブジェクトＢＪＥが追加される位置を算出する。そして、表示部２２１は、オブジェクトＢＪＥが追加される位置を主領域ＲＡに表示する。
【００５７】
続いて、表示部２２１及び追加部２１６について具体的に説明する。追加部２１６は、グループ３ＣＢに含まれるオブジェクト３Ｃが追加される位置を以下のようにして決定する。すなわち、追加部２１６は、例えば、境界線ＬＢから位置Ｐ６２までの距離が第２距離ＬＳ２未満であるか否かを判定する。境界線ＬＢから位置Ｐ６２までの距離が第２距離ＬＳ２未満である場合に、追加部２１６は、オブジェクト３Ｃを追加する位置を、境界線ＬＢの示すオブジェクト３Ｆとオブジェクト３Ｇとの間の位置に決定する。境界線ＬＢは、オブジェクト３Ｆとオブジェクト３Ｇとの境界を示す。
【００５８】
表示部２２１は吹出マークＧＮ２を表示する。吹出マークＧＮ２は、グループ３ＣＢに含まれるオブジェクト３Ｃが追加される位置を示す。具体的には、吹出マークＧＮ２の先端位置が、オブジェクト３Ｃが追加される位置を示す。オブジェクト３Ｃが追加される位置は、例えばオブジェクト３Ｆとオブジェクト３Ｇとの間の位置である。
【００５９】
また、追加部２１６は、第３操作検出部２１５が１つのグループＧＲに対する第３操作ＯＰ３を検出した場合に、１つのグループＧＲに含まれるオブジェクトＢＪＥを主領域ＲＡに表示されるオブジェクトＢＪＡとして追加する。具体的には、追加部２１６は、１つのオブジェクトＢＪＥを、主領域ＲＡに表示されるオブジェクトＢＪＡとして追加する。１つのオブジェクトＢＪＥは、グループＧＲに含まれる複数のオブジェクトＢＪＥのうち、第２階層変更部２１８によって階層が変更されていないオブジェクトを示す。追加部２１６は、例えば主領域ＲＡに表示されるオブジェクト３Ｇとオブジェクト３Ｈとの間に、オブジェクト３Ｃを追加する。オブジェクト３Ｃは、グループ３ＣＢに含まれる複数のオブジェクトＢＪＥのうち、第２階層変更部２１８によって階層が変更されていないオブジェクトＢＪＥの一例を示す。第３操作検出部２１５が１つのグループＧＲに対する第４操作ＯＰ４を検出した場合に、表示部２２１は、１つのグループＧＲを退避領域ＲＥから消去する。また、表示部２２１は、１つのグループＧＲに含まれる複数のオブジェクトＢＪＥのうち、１つのオブジェクトＢＪＥを主領域ＲＡに表示する。
【００６０】
次に、図１４を参照して、表示部２２１が表示する画面について説明する。図１４は、第３操作ＯＰ３によって表示される画面の他の一例を示す。図１４に示す画面は、追加部２１６がオブジェクト３Ｃを主領域ＲＡに表示するオブジェクトＢＪＡとして追加した場合に表示される。表示部２２１はオブジェクト３Ａ、オブジェクト３Ｆ、オブジェクト３Ｃ、オブジェクト３Ｇ及びオブジェクト３Ｈを主領域ＲＡに表示する。グループ３ＣＢに含まれていたオブジェクト３Ｂは、オブジェクト３Ｃの１つ下位の階層に属するため、主領域ＲＡには表示されない。また、追加部２１６がグループ３ＣＢを退避領域ＲＥから主領域ＲＡに移動するため、表示部２２１は、退避領域ＲＥからグループ３ＣＢを消去する。
【００６１】
次に、図２及び図１５を参照して第４操作ＯＰ４の他の一例について説明する。図１５は、第４操作ＯＰ４の他の一例を示す。図１５に示す第４操作ＯＰ４はグループＧＲをオブジェクトＢＪＥに重ねる点で図１０及び図１１に示す第４操作ＯＰ４と相違する。第４操作検出部２１７は、退避領域ＲＥに表示された１つのグループＧＲ１と１つのオブジェクトＢＪＥとに対する第４操作ＯＰ４を検出する。第４操作ＯＰ４は、例えば１つのグループＧＲを１つのオブジェクトＢＪＥに重ねるドラッグアンドドロップ操作ＤＡＤを示す。第４操作検出部２１７が第４操作ＯＰ４を検出した場合に、第２階層変更部２１８は、１つのグループＧＲ１に含まれる複数のオブジェクトＢＪＥの属する階層を、それぞれ、１つ下位の階層に変更する。具体的には、１つのグループＧＲ１に含まれる複数のオブジェクトＢＪＥのうち最上位の階層に属するオブジェクトＢＪＥを、グループＧＲ１が重ねられたオブジェクトＢＪＥの１つ下位の階層に変更する。また、第２階層変更部２１８は、１つのグループＧＲ１と１つのオブジェクトＢＪＥとが一体に移動するように、１つのグループＧＲ１と１つのオブジェクトＢＪＥとを１つのグループＧＲ２に定める。グループＧＲ２は、グループＧＲ１とオブジェクトＢＪＥとから構成される。
【００６２】
続いて、第４操作ＯＰ４の一例について説明する。図１５に示すように、まず、ユーザーの手Ｈの指がグループ３ＣＢ内の位置Ｐ７１に接触する。そして、手Ｈの指がタッチパネル１に触れた状態で、手Ｈの指を方向ＡＲ７に位置Ｐ７２まで移動する。手Ｈの指の移動に応じて、表示部２２１はグループ３ＣＢの表示位置を移動する。次に、位置Ｐ７２において手Ｈの指を所定時間ＴＤ停止する。その後、位置Ｐ５２において手Ｈの指をタッチパネル１から離す。位置Ｐ７１で接触してから位置Ｐ７２で離すまでタッチパネル１を操作した場合に、第４操作検出部２１７はグループ３ＣＢに対するドラッグアンドドロップ操作ＤＡＤを検出する。
【００６３】
更に、第４操作検出部２１７は、所定時間ＴＤが時間ＴＳ以上であるか否かを判断する。また、第４操作検出部２１７は、位置Ｐ７２がオブジェクト３Ｅ内の位置であるか否かを判定する。そして、所定時間ＴＤが時間ＴＳ以上であり、位置Ｐ７２がオブジェクト３Ｅ内の位置である場合に、第４操作検出部２１７はグループ３ＣＢ及びオブジェクト３Ｅに対する第４操作ＯＰ４を検出する。
【００６４】
次に、図２及び図１６を参照して第４操作ＯＰ４の他の一例について更に説明する。図１６は、第４操作ＯＰ４の他の一例を示す図である。図１６に示す画面は、手Ｈの指が位置Ｐ７２に移動したときに、表示部２２１がタッチパネル１に表示する。位置Ｐ７２はオブジェクト３Ｅ内の位置であるため、第４操作検出部２１７はグループ３ＣＢ及びオブジェクト３Ｅに対する第４操作ＯＰ４を検出する。そして、第２階層変更部２１８は、グループ３ＣＢに含まれるオブジェクト３Ｂ及びオブジェクト３Ｃの属する階層を、それぞれ、１つ下位の階層に変更する。具体的には、第２階層変更部２１８は、オブジェクト３Ｃの属する階層を、オブジェクト３Ｅの属する階層の１つ下位の階層に変更する。また、第２階層変更部２１８は、オブジェクト３Ｂの属する階層を、オブジェクト３Ｅの属する階層の２つ下位の階層に変更する。また、第２階層変更部２１８は、グループ３ＣＢとオブジェクト３Ｅとが一体に移動するようにグループ３ＣＢとオブジェクト３Ｅとを１つのグループ３ＥＣＢに定める。グループ３ＣＢは、グループＧＲ１の一例を示し、グループ３ＥＣＢは、グループＧＲ２の一例を示す。
【００６５】
また、例えば、図１５を参照して、第４操作ＯＰ４の更に他の一例について説明する。第４操作検出部２１７は、オブジェクト３Ｅをグループ３ＣＢのオブジェクト３Ｂに重ねるドラッグアンドドロップ操作ＤＡＤを検出し、グループ３ＣＢ及びオブジェクト３Ｅに対する第４操作ＯＰ４を検出する形態でもよい。この形態では、第２階層変更部２１８は、オブジェクト３Ｅの属する階層を、オブジェクト３Ｃの属する階層の２つ下位の階層に変更する。また、第２階層変更部２１８は、グループ３ＣＢとオブジェクト３Ｅとが一体に移動するようにグループ３ＣＢとオブジェクト３Ｅとを１つのグループ３ＣＢＥ（図示省略）に定める。
【００６６】
次に、図２及び図１７を参照して、表示部２２１がタッチパネル１に表示する画面について説明する。図１７は、第５操作ＯＰ５の一例を示す図である。図１７に示す画面は、第２階層変更部２１８がグループ３ＣＢ及びオブジェクト３Ｅを１つのグループ３ＥＣＢに定めたときに表示される。表示部２２１は、退避領域ＲＥにグループ３ＥＣＢを表示する。グループ３ＥＣＢは、グループＧＲ２の一例であり、グループ３ＣＢとオブジェクト３Ｅとから構成されている。更に、表示部２２１は退避領域ＲＥにおいてグループ３ＥＣＢの第１方向ＤＲ１の後端側にオブジェクト３Ｄを表示する。
【００６７】
続いて、第５操作検出部２１９及びグループ解除部２２０について説明する。第５操作検出部２１９は、退避領域ＲＥに表示された１つのグループＧＲに対する第５操作ＯＰ５を検出する。第５操作ＯＰ５は、例えばグループＧＲ２に含まれるグループＧＲ１を退避領域ＲＥに移動するドラッグアンドドロップ操作ＤＡＤを示す。第５操作検出部２１９が第５操作ＯＰ５を検出した場合に、第２階層変更部２１８は、グループＧＲ１に含まれる複数のオブジェクトＢＪＥの属する階層を、１つ上位の階層に変更する。また、第２階層変更部２１８は、グループＧＲ２を解消する。具体的には、第２階層変更部２１８は、グループＧＲ２をグループＧＲ１と１つのオブジェクトＢＪＥとに分解する。
【００６８】
続いて、第５操作ＯＰ５の一例について説明する。図１７に示すように、まず、ユーザーの手Ｈの指がグループ３ＣＢ内の位置Ｐ８１に接触する。そして、手Ｈの指がタッチパネル１に触れた状態で、手Ｈの指を方向ＡＲ８に位置Ｐ８２まで移動する。手Ｈの指の移動に応じて、表示部２２１はグループ３ＣＢの表示位置を移動する。次に、位置Ｐ８２において手Ｈの指をタッチパネル１から離す。位置Ｐ８１で接触してから位置Ｐ８２で離すまでタッチパネル１を操作した場合に、第５操作検出部２１９はグループ３ＣＢに対するドラッグアンドドロップ操作ＤＡＤを検出する。
【００６９】
更に、第５操作検出部２１９は、位置Ｐ８２が退避領域ＲＥ内の位置であるか否かを判定する。具体的には、第５操作検出部２１９は、位置Ｐ８２が下記の３つの条件を満たすか否かを判定する。
条件１：位置Ｐ８２が退避領域ＲＥ内の位置であること。
条件２：位置Ｐ８２が退避領域ＲＥに表示されたオブジェクトＢＪＥ内の位置ではないこと。
条件３：位置Ｐ８２が退避領域ＲＥに表示されたグループＧＲ内の位置ではないこと。
位置Ｐ８２が３つの条件を満たす場合に、第４操作検出部２１７はグループ３ＥＣＢに含まれるグループ３ＣＢに対する第５操作ＯＰ５を検出する。
【００７０】
次に、図２及び図１８を参照して第５操作ＯＰ５の一例について更に説明する。
図１８は、第５操作ＯＰ５の一例を示す図である。図１８に示す画面は、手Ｈの指が位置Ｐ８２に移動したときに、表示部２２１がタッチパネル１に表示する。位置Ｐ８２は３つの条件を満たすため、第５操作検出部２１９はグループ３ＥＣＢに対する第５操作ＯＰ５を検出する。そして、第２階層変更部２１８は、グループ３ＣＢに含まれるオブジェクト３Ｂ及びオブジェクト３Ｃの属する階層を、１つ上位の階層に変更する。具体的には、第２階層変更部２１８は、オブジェクト３Ｃの属する階層を、オブジェクト３Ｅの属する階層と同一の階層に変更する。また、第２階層変更部２１８は、オブジェクト３Ｂの属する階層を、オブジェクト３Ｅの属する階層の１つ下位の階層に変更する。また、第２階層変更部２１８は、グループ３ＥＣＢを、グループ３ＣＢとオブジェクト３Ｅとに分解する。
【００７１】
次に、図２及び図１９を参照して、表示部２２１がタッチパネル１に表示する画面について説明する。図１９は、第５操作ＯＰ５によって表示される画面の一例を示す。図１９に示す画面は、第２階層変更部２１８がグループ３ＥＣＢをグループ３ＣＢとオブジェクト３Ｅとに分解したときに、表示部２２１がタッチパネル１に表示する。表示部２２１は、オブジェクト３Ｅとグループ３ＣＢとを退避領域ＲＥに表示する。更に、表示部２２１は退避領域ＲＥにおいてオブジェクト３Ｅの第１方向ＤＲ１の後端側にオブジェクト３Ｄを表示する。
【００７２】
図１７〜図１９を参照して説明したように、第５操作検出部２１９はグループ３ＣＢに対する第５操作ＯＰ５を検出するが、本発明はこれに限定されない。例えば、第５操作検出部２１９がオブジェクト３Ｂに対する第５操作ＯＰ５を検出してもよい。この形態では、第２階層変更部２１８がグループ３ＥＣＢをグループ３ＥＣとオブジェクト３Ｂとに分解する。グループ３ＥＣは、オブジェクト３Ｅとオブジェクト３Ｃとから構成される。また、第２階層変更部２１８は、オブジェクト３Ｂの属する階層を、オブジェクト３Ｄ及びオブジェクト３Ｅの属する階層と同一の階層に変更する。
【００７３】
また、例えば、図１２を参照して、第５操作ＯＰ５の更に他の一例について説明する。第５操作検出部２１９がグループ３ＣＢに含まれるオブジェクト３Ｂに対する第５操作ＯＰ５を検出する形態でもよい。この形態では、第２階層変更部２１８がグループ３ＣＢをオブジェクト３Ｂとオブジェクト３Ｃとに分解する。また、第２階層変更部２１８は、オブジェクト３Ｂの属する階層を、オブジェクト３Ｃ〜オブジェクト３Ｅの属する階層と同一の階層に変更する。
【００７４】
以上、図２、図９〜図１９を参照して説明したように、第４操作検出部２１７は、複数のオブジェクトＢＪＡのうち２つ以上のオブジェクトＢＪＡを主領域ＲＡから退避領域ＲＥに移動した場合に、以下の処理を行う。すなわち、第４操作検出部２１７は、退避領域ＲＥに移動された２つ以上のオブジェクトＢＪＥのうち２つのオブジェクトＢＪＥに対する第４操作ＯＰ４を検出する。第４操作検出部２１７が第４操作ＯＰ４を検出した場合に、第２階層変更部２１８は、以下の処理を行う。すなわち、第２階層変更部２１８は、２つのオブジェクトＢＪＥのうち、一方のオブジェクトＢＪＥの属する階層を、他方のオブジェクトＢＪＥの属する階層の１つ下位の階層に変更する。また、第２階層変更部２１８は、第４操作検出部２１７が第４操作ＯＰ４を検出した場合に、２つのオブジェクトＢＪＥが一体に移動するように２つのオブジェクトＢＪＥを１つのグループＧＲに定める。よって、退避領域ＲＥにグループＧＲを生成することができる。したがって、グループＧＲに含まれる２つのオブジェクトＢＪＥを一体に移動することができる。また、グループＧＲを構成する２つのオブジェクトＢＪＥのうち一方のオブジェクトＢＪＥの属する階層を変更することができる。したがって、オブジェクトＢＪＥの階層をユーザーが所望する階層に変更できる。その結果、タッチパネル１の操作性を簡素な構成で向上できる。
【００７５】
また、第４操作ＯＰ４は、２つのオブジェクトＢＪＥのうち他方のオブジェクトＢＪＥに重なる位置まで一方のオブジェクトＢＪＥを移動する操作を含む。例えば、第４操作ＯＰ４は、他方のオブジェクトＢＪＥに重なる位置まで一方のオブジェクトＢＪＥを移動するドラッグアンドドロップ操作ＤＡＤを含む。よって、ユーザーの直感に合致した操作でグループＧＲを生成することができる。また、ユーザーの直感に合致した操作で２つのオブジェクトＢＪＥのうち一方のオブジェクトＢＪＥの属する階層を変更することができる。したがって、タッチパネル１の操作性を簡素な構成で向上できる。
【００７６】
更に、第３操作検出部２１５が退避領域ＲＥに表示されたグループＧＲに対する第３操作ＯＰ３を検出する。第３操作検出部２１５が第３操作ＯＰ３を検出した場合に、追加部２１６はグループＧＲに含まれる他方のオブジェクトＢＪＥを主領域ＲＡに表示されるオブジェクトＢＪＡの１つとして追加する。よって、主領域ＲＡのユーザーが所望する位置にオブジェクトＢＪＥを追加できる。したがって、タッチパネル１の操作性を更に向上できる。
【００７７】
加えて、第５操作検出部２１９は、退避領域ＲＥに表示された１つのグループＧＲに対する第５操作ＯＰ５を検出する。第５操作検出部２１９が第５操作ＯＰ５を検出した場合に、グループ解除部２２０は１つのグループＧＲを解消する。よって、ユーザーは１つのグループＧＲを複数のオブジェクトＢＪＥに分解できる。したがって、タッチパネル１の操作性を更に向上できる。
【００７８】
次に、図２０及び図２１を参照して、制御部２の動作を説明する。図２０及び図２１は、制御部２の動作を示すフローチャートである。まず、図２０に示すように、ステップＳ１０１において、第１操作検出部２１０が第１操作ＯＰ１を検出したか否かを判定する。第１操作検出部２１０が第１操作ＯＰ１を検出していない場合（ステップＳ１０１でＮＯ）には、処理がステップＳ１１１に進む。第１操作検出部２１０が第１操作ＯＰ１を検出した場合（ステップＳ１０１でＹＥＳ）には、処理がステップＳ１０３に進む。
【００７９】
そして、ステップＳ１０３において退避部２１１がタッチパネル１の一部に退避領域ＲＥを定め、表示部２２１が退避領域ＲＥを表示する。次に、ステップＳ１０５において退避部２１１が、第１操作ＯＰ１が行われたオブジェクトＢＪＡを退避領域ＲＥに移動する。次いで、ステップＳ１０７において表示部２２１が退避領域ＲＥにオブジェクトＢＪＡを表示する。そして、ステップＳ１０９において表示部２２１が主領域ＲＡの表示を更新する。具体的には、表示部２２１は、第１操作ＯＰ１が行われたオブジェクトＢＪＡを消去する。
【００８０】
次に、ステップＳ１１１において第２階層変更部２１８及びグループ解除部２２０が「グループ処理」を行う。「グループ処理」は、第２階層変更部２１８がオブジェクトＢＪＥの階層を変更すると共にグループＧＲを定める処理、及びグループ解除部２２０がグループＧＲを分解する処理を示す。次いで、ステップＳ１１３において、制御部２が上位階層表示ボタンＢＵのタッチを検出したか否かを判定する。制御部２が上位階層表示ボタンＢＵのタッチを検出していない場合（ステップＳ１１３でＮＯ）には、処理が図２１のステップＳ１１７に進む。制御部２が上位階層表示ボタンＢＵのタッチを検出した場合（ステップＳ１１３でＹＥＳ）には、処理がステップＳ１１５に進む。そして、ステップＳ１１５において、表示部２２１が、主領域ＲＡに表示されているオブジェクトＢＪＡの１つ上位の階層のオブジェクトＢＪＡを主領域ＲＡに表示する。
【００８１】
次に、図２１に示すように、ステップＳ１１７において、制御部２がスクロール操作ＳＲを検出したか否かを判定する。制御部２がスクロール操作ＳＲを検出していない場合（ステップＳ１１７でＮＯ）には、処理がステップＳ１２１に進む。制御部２がスクロール操作ＳＲを検出した場合（ステップＳ１１７でＹＥＳ）には、処理がステップＳ１１９に進む。そして、ステップＳ１１９において表示部２２１が主領域ＲＡのオブジェクトＢＪＡをスクロールする。
【００８２】
次に、ステップＳ１２１において、第３操作検出部２１５が第３操作ＯＰ３を検出したか否かを判定する。第３操作検出部２１５が第３操作ＯＰ３を検出していないと判定した場合（ステップＳ１２１でＮＯ）には、処理がステップＳ１３３に進む。第３操作検出部２１５が第３操作ＯＰ３を検出したと判定した場合（ステップＳ１２１でＹＥＳ）には、処理がステップＳ１２３に進む。ステップＳ１２３において追加部２１６が、第３操作ＯＰ３が行われたオブジェクトＢＪＥ又はグループＧＲを主領域ＲＡに追加する。追加部２１６はグループＧＲを構成する複数のオブジェクトＢＪＥのうち、最も上位の階層のオブジェクトＢＪＥを主領域ＲＡに追加する。次に、ステップＳ１２５において制御部２は退避領域ＲＥにオブジェクトＢＪＥが残っているか否かを判定する。退避領域ＲＥにオブジェクトＢＪＥが残っている場合（ステップＳ１２５でＹＥＳ）には、処理がステップＳ１２７に進む。退避領域ＲＥにオブジェクトＢＪＥが残っていない場合（ステップＳ１２５でＮＯ）には、処理がステップＳ１２９に進む。そして、ステップＳ１２９において表示部２２１がタッチパネル１に表示された退避領域ＲＥを消去し、処理がステップＳ１３１に進む。
【００８３】
ステップＳ１２５でＹＥＳの場合には、ステップＳ１２７において表示部２２１が退避領域ＲＥの表示を更新する。具体的には、表示部２２１は、第３操作ＯＰ３が行われたオブジェクトＢＪＥ又はグループＧＲを退避領域ＲＥから消去する。次に、ステップＳ１３１において表示部２２１が主領域ＲＡの表示を更新する。具体的には、表示部２２１は、第３操作ＯＰ３が行われたオブジェクトＢＪＥを主領域ＲＡに表示する。グループＧＲに対して第３操作ＯＰ３が行われた場合には、表示部２２１は、第３操作ＯＰ３が行われたグループＧＲを構成する複数のオブジェクトＢＪＥのうち、最も上位の階層のオブジェクトＢＪＥを主領域ＲＡに表示する。次に、ステップＳ１３３において制御部２は処理を終了するか否かを判定する。制御部２が処理を終了すると判定した場合（ステップＳ１３３でＹＥＳ）には、制御部２が処理を終了する。制御部２が処理を終了しないと判定した場合（ステップＳ１３３でＮＯ）には、処理が図２０のステップＳ１０１に戻る。
【００８４】
次に、図２２を参照して、制御部２の「グループ処理」について説明する。図２２では、便宜上、グループＧＲが２つのオブジェクトＢＪＥから構成される場合について説明する。まず、ステップＳ２０１において第４操作検出部２１７が２つオブジェクトＢＪＥに対する第４操作ＯＰ４を検出したか否かを判定する。第４操作検出部２１７が第４操作ＯＰ４を検出していない場合（ステップＳ２０１でＮＯ）には、処理がステップＳ２０９に進む。第４操作検出部２１７が第４操作ＯＰ４を検出した場合（ステップＳ２０１でＹＥＳ）には、処理がステップＳ２０３に進む。そして、ステップＳ２０３において、第２階層変更部２１８が、２つオブジェクトＢＪＥのうち一方のオブジェクトＢＪＥの属する階層を、他方のオブジェクトＢＪＥの属する階層の１つ下位の階層に変更する。具体的には、第４操作ＯＰ４は、例えば、ドラッグアンドドロップ操作ＤＡＤを示す。また、一方のオブジェクトＢＪＥは、ドラッグアンドドロップ操作ＤＡＤによって他方のオブジェクトＢＪＥに重ねるオブジェクトＢＪＥを示す。他方のオブジェクトＢＪＥは、ドラッグアンドドロップ操作ＤＡＤによって一方のオブジェクトＢＪＥが重ねられるオブジェクトＢＪＥを示す。次に、ステップＳ２０５において第２階層変更部２１８が２つのオブジェクトＢＪＥを１つのグループＧＲに定める。そして、ステップＳ２０７において表示部２２１が、退避領域ＲＥから２つのオブジェクトＢＪＥを消去すると共に、退避領域ＲＥにグループＧＲを表示する。
【００８５】
次に、ステップＳ２０９において第５操作検出部２１９が第５操作ＯＰ５を検出したか否かを判定する。第５操作検出部２１９が第５操作ＯＰ５を検出していない場合（ステップＳ２０９でＮＯ）には、処理が図２０のステップＳ１１３にリターンする。第５操作検出部２１９が第５操作ＯＰ５を検出した場合（ステップＳ２０９でＹＥＳ）には、処理がステップＳ２１１に進む。そして、ステップＳ２１１においてグループ解除部２２０が、第５操作ＯＰ５が行われたグループＧＲを２つのオブジェクトＢＪＥに分解する。次に、ステップＳ２１３において表示部２２１が、退避領域ＲＥからグループＧＲを消去すると共に、退避領域ＲＥに２つのオブジェクトＢＪＥを表示して、処理が図２０のステップＳ１１３にリターンする。
【００８６】
＜第２実施形態＞
次に、図２３を参照して、第２実施形態に係る画像形成装置２００について説明する。図２３に示すように、画像形成装置２００は複合機である。画像形成装置２００は、画像形成ユニット４１、画像読取ユニット４２、原稿搬送ユニット４３及び操作パネル４４を備える。
【００８７】
画像形成ユニット４１は、記録媒体の一例である用紙Ｐに画像を形成する。画像読取ユニット４２は、原稿Ｒに形成された画像を読み取る。原稿搬送ユニット４３は、原稿Ｒを画像読取ユニット４２に供給する。操作パネル４４は、タッチパネル４４１を備え、ユーザーからの操作を受け付ける。
【００８８】
また、画像形成ユニット４１は、給紙カセット４１１、搬送ローラー対４１２、画像形成部４１３、定着器４１４、排出ローラー対４１５、排出トレイ４１６、及び制御部４５を備える。制御部４５は、画像形成装置２００の動作を制御する。
【００８９】
給紙カセット４１１から繰り出された用紙Ｐは、搬送ローラー対４１２によって画像形成部４１３まで搬送される。画像形成部４１３は、用紙Ｐに画像を形成する。画像が形成された用紙Ｐは、定着器４１４まで搬送される。定着器４１４は、用紙Ｐに形成された画像を用紙Ｐに定着する。画像が定着された用紙Ｐは、排出ローラー対４１５によって排出トレイ４１６へ排出される。
【００９０】
タッチパネル４４１は、タブレット端末装置１００のタッチパネル１と略同一の構成を備える。また、制御部４５はタブレット端末装置１００の制御部２と略同一の構成を備える。すなわち、制御部４５は、第１操作検出部２１０、退避部２１１、移動部２１２、第２操作検出部２１３、第１階層変更部２１４、第３操作検出部２１５、追加部２１６、第４操作検出部２１７、第２階層変更部２１８、第５操作検出部２１９、グループ解除部２２０、及び表示部２２１を備える。したがって、タブレット端末装置１００と同様の効果を奏する。画像形成装置２００は、「表示制御装置」の一例に相当する。
【００９１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（１０））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９２】
（１）図１及び図２３を参照して説明したように、表示制御装置はタブレット端末装置１００又は画像形成装置２００であるが、本発明はこれに限定されない。表示制御装置がタッチパネルを備えた装置であればよい。例えば、表示制御装置が、スマートフォン、ＣＤプレイヤー、ＤＶＤプレイヤー、及び各種家電機器のような装置である形態でもよい。また、例えば、表示制御装置が、カーナビゲーション装置である形態でもよい。
【００９３】
（２）図３〜図１９を参照して説明したように、オブジェクトＢＪＡ及びオブジェクトＢＪＥは文字列を示すが、本発明はこれに限定されない。オブジェクトＢＪＡ及びオブジェクトＢＪＥが、ファイル名、フォルダー名、アイコン、画像、又はショートカットを示す形態でもよい。
【００９４】
（３）図３〜図１９を参照して説明したように、表示部２２１は主領域ＲＡにオブジェクトＢＪＡを一列に表示するが、本発明はこれに限定されない。例えば、表示部２２１が主領域ＲＡにオブジェクトＢＪＡが複数列に表示する形態でもよい。
【００９５】
（４）図３〜図１９を参照して説明したように、表示部２２１は退避領域ＲＥをディスプレー１１の第２方向ＤＲ２の先端側に表示するが、本発明はこれに限定されない。例えば、表示部２２１が退避領域ＲＥを主領域ＲＡにポップアップ表示する形態でもよい。
【００９６】
（５）図３を参照して説明したように、第１操作ＯＰ１は第２方向ＤＲ２へのスワイプ操作ＳＷＲであるが、本発明はこれに限定されない。第１操作ＯＰ１が、例えば、第２方向ＤＲ２へのフリック操作である形態でもよい。
【００９７】
（６）図４を参照して説明したように、表示部２２１は上位階層表示ボタンＢＵを表示するが、本発明はこれに限定されない。表示部２２１が上位階層表示ボタンＢＵに換えて、又は加えて下位階層表示ボタンを表示する形態でもよい。下位階層表示ボタンがタッチされると、表示部２２１は選択状態にあるオブジェクトＢＪＡの１つ下位の階層に含まれるオブジェクトＢＪＡが主領域ＲＡに表示する。この場合には、主領域ＲＡに表示されているオブジェクトＢＪＡの１つ下位の階層に含まれるオブジェクトＢＪＡに退避領域ＲＥのオブジェクトＢＪＥを移動することができる。なお、デフォールトでは、主領域ＲＡに表示されているオブジェクトＢＪＡのうち１つのオブジェクトＢＪＡが選択状態にある形態が好ましい。例えば、主領域ＲＡに表示されているオブジェクトＢＪＡのうち第１方向ＤＲ１の最も後端側のオブジェクトＢＪＡが選択状態にある。この場合には、オブジェクトＢＪＡを選択状態にする必要がないため、操作性を更に向上することができる。
【００９８】
（７）図６を参照して説明したように、第３操作ＯＰ３はドラッグアンドドロップ操作ＤＡＤであるが、本発明はこれに限定されない。第３操作ＯＰ３が、例えば、第２方向ＤＲ２と逆方向へのスワイプ操作又は第２方向ＤＲ２と逆方向へのフリック操作である形態でもよい。
【００９９】
（８）図７を参照して説明したように、表示部２２１は吹出マークＧＮ１を表示するが、本発明はこれに限定されない。表示部２２１がオブジェクト３Ｂを追加する位置を主領域ＲＡに表示する形態であればよい。例えば、表示部２２１が、オブジェクト３Ｂを追加する位置であるオブジェクト３ＦＵとオブジェクト３ＧＵとの境界線ＬＡの表示形態を変更する形態でもよい。表示部２２１が、例えば境界線ＬＡの色を変更する形態でもよい。
【０１００】
（９）図１０を参照して説明したように、第４操作ＯＰ４はドラッグアンドドロップ操作ＤＡＤであるが、本発明はこれに限定されない。第４操作ＯＰ４が、例えば、ダブルタップ操作である形態でもよい。具体的には、ユーザーがグループＧＲに含めることを所望する２つのオブジェクトＢＪＥを順次ダブルタップ操作する形態でもよい。
【０１０１】
（１０）図１７を参照して説明したように、第５操作ＯＰ５はドラッグアンドドロップ操作ＤＡＤであるが、本発明はこれに限定されない。第５操作ＯＰ５が、例えば、ピンチアウト操作である形態でもよい。
【産業上の利用可能性】
【０１０２】
本発明は、タッチパネルを備える表示制御装置、及び表示制御方法に利用可能である。
【符号の説明】
【０１０３】
１００    タブレット端末装置（表示制御装置）
１    タッチパネル
２    制御部
２１０    第１操作検出部
２１１    退避部
２１２    移動部
２１３    第２操作検出部
２１４    第１階層変更部
２１５    第３操作検出部
２１６    追加部
２１７    第４操作検出部
２１８    第２階層変更部
２１９    第５操作検出部
２２０    グループ解除部
２２１    表示部
２００    画像形成装置（表示制御装置）
４１    画像形成ユニット
４２    画像読取ユニット
４３    原稿搬送ユニット
４４    操作パネル
４４１    タッチパネル
４５    制御部
ＢＪ、ＢＪＡ、ＢＪＥ    オブジェクト
ＢＵ    上位階層表示ボタン
ＧＲ、ＧＲ１、ＧＲ２    グループ
ＯＰ１    第１操作
ＯＰ２    第２操作
ＯＰ３    第３操作
ＯＰ４    第４操作
ＯＰ５    第５操作
ＲＡ    主領域（所定領域）
ＲＥ    退避領域
【図１】
0006555189.tif 000002
【図２】
0006555189.tif 000003
【図３】
0006555189.tif 000004
【図４】
0006555189.tif 000005
【図５】
0006555189.tif 000006
【図６】
0006555189.tif 000007
【図７】
0006555189.tif 000008
【図８】
0006555189.tif 000009
【図９】
0006555189.tif 000010
【図１０】
0006555189.tif 000011
【図１１】
0006555189.tif 000012
【図１２】
0006555189.tif 000013
【図１３】
0006555189.tif 000014
【図１４】
0006555189.tif 000015
【図１５】
0006555189.tif 000016
【図１６】
0006555189.tif 000017
【図１７】
0006555189.tif 000018
【図１８】
0006555189.tif 000019
【図１９】
0006555189.tif 000020
【図２０】
0006555189.tif 000021
【図２１】
0006555189.tif 000022
【図２２】
0006555189.tif 000023
【図２３】
0006555189.tif 000024